(57)【要約】      （修正有）【課題】ハロゲンヒータ、カーボンヒータの二種のヒータを適宜組合せることで、使用者が選択的に希望する条件で用途範囲を広く活用できる暖房器具の提供。【解決手段】ハロゲンヒータＨｈとカーボンヒータＨｃとを適宜組込んで配設し、２以上複数のヒータ本体と対をなす熱反射板をヒータ本体の本数に合せて並列し、熱放射面の上方部分は昇温した空気を逃がすための多孔板にて形成し、電源スイッチＳＷｍを有する制御回路に、ハロゲンヒータ回路部１０、カーボンヒータ回路部２０、ハロゲンヒータＨｈとカーボンヒータＨｃとの組合せ回路部３０を並列し、これらの回路部を選択的に設定可能な連動式切換えスイッチＳＷ１を備え、且つ規定温度を超えた時に機能する温度溶断器Ｆ１、Ｆ２、及び器具本体の転倒時電源ＯＦＦスイッチＳＷ２を備え、更に首振り動作用のスイッチＳＷ３と連動する同期電動機ＭＳを具備して成ることを特徴とする。【選択図】図１
0003101476.tif 000002
【実用新案登録請求の範囲】
【請求項１】
ハロゲンヒータとカーボンヒータとを適宜組込んで配設し、前面を孔面積の大きい保護体からなる熱放射面とし、天板、底板、背面板等を組合せた筐体からなる暖房器具であって、各ヒータは筒状体を形成し、ヒータを形成する筒状体の背面をヒータ本体から放射される熱を集束して反射する曲面を有する熱反射板にて構成し、２以上複数のヒータ本体と対をなす前記熱反射板を前記ヒータ本体の本数に合せて並列し、前記天板と接する前記熱放射面の上方部分は昇温した空気を逃がすための孔を有する多孔板にて形成し、前記底板は支持部材となる脚部を備え、電源スイッチを有する制御回路に、ハロゲンヒータ回路部、カーボンヒータ回路部、ハロゲンヒータとカーボンヒータの組合せ回路部を並列し、これらの回路部を選択的に設定可能な連動式切換えスイッチを備え、且つ規定温度を超えた時に機能する温度溶断器、器具本体の転倒時電源ＯＦＦスイッチを備え、更に首振り動作用のスイッチと連動する同期電動機を具備して成ることを特徴とする暖房器具。
【考案の詳細な説明】
【技術分野】
【０００１】
この考案は、カーボンヒータとハロゲンヒータの組合せによる暖房器具に関する。
【背景技術】
【０００２】
従来、カーボンヒータとハロゲンヒータは、それぞれ単独で用いた暖房機として発明または考案されているのが通例である。
【０００３】
１）熱効率と輻射特性、及び遠赤外線放出性能と耐久性がすぐれた新規な構造のハロゲンヒータ装置を提供する目的で、「ベースから延びるポストの上方に設けた、パラボラ反射板と保護網との内部にヒータコアを備えたハロゲンヒータ装置であって、ヒータコアがセラミックコーンと、その周囲に巻いた形で配置したハロゲンヒータとからなる。」公報が開示されている（例えば、特許文献１参照。）。
【０００４】
２）浴室内または浴室使用者を効率良く短時間に暖めることができる浴室暖房機を提供する目的で、「箱体と下面パネルで本体とし、この本体内に送風機とカーボンランプヒータを設け、その送風機を駆動することで浴室内の空気を吸い込み、その空気をカーボンランプヒータで温風として浴室内に吹出すようにした浴室暖房機であり、カーボンランプヒータの放射する赤外線によって浴室内または浴室使用者を効率良く短時間に暖めることができる。」公報が開示されている（例えば、特許文献２参照。）。
【特許文献１】実用新案登録第３０７９１７０号公報
【特許文献２】特開２００２−３２７９３５号公報
【考案の開示】
【考案が解決しようとする課題】
【０００５】
然しながら上述の従来例では、１）及び２）の二つの例も共に、ハロゲンヒータ、カーボンヒータをそれぞれ単独で用いており、組合せた事例がない。
【０００６】
本考案は、上述の事情に鑑みて成されたもので、ハロゲンヒータ、カーボンヒータのそれぞれの特性を活かし、二種のヒータを適宜組合せることで、使用者が選択的に希望する条件で用途範囲を広く活用できる暖房器具を提供することを目的とする。
【課題を解決するための手段】
【０００７】
本考案は、下記構成を備えることにより上記課題を解決できるものである。
【０００８】
（１）ハロゲンヒータとカーボンヒータとを適宜組込んで配設し、前面を孔面積の大きい保護体からなる熱放射面とし、天板、底板、背面板等を組合せた筐体からなる暖房器具であって、各ヒータは筒状体を形成し、ヒータを形成する筒状体の背面をヒータ本体から放射される熱を集束して反射する曲面を有する熱反射板にて構成し、２以上複数のヒータ本体と対をなす前記熱反射板を前記ヒータ本体の本数に合せて並列し、前記天板と接する前記熱放射面の上方部分は昇温した空気を逃がすための孔を有する多孔板にて形成し、前記底板は支持部材となる脚部を備え、電源スイッチを有する制御回路に、ハロゲンヒータ回路部、カーボンヒータ回路部、ハロゲンヒータとカーボンヒータの組合せ回路部を並列し、これらの回路部を選択的に設定可能な連動式切換えスイッチを備え、且つ規定温度を超えた時に機能する温度溶断器、器具本体の転倒時電源ＯＦＦスイッチを備え、更に首振り動作用のスイッチと連動する同期電動機を具備して成る暖房器具。
【考案の効果】
【０００９】
本考案は、ハロゲンヒータ、カーボンヒータのそれぞれの特性を活かし、二種のヒータを適宜組合せることで、使用者が選択的に希望する条件で用途範囲を広く活用できる暖房器具を提供することが出来る。
【考案を実施するための最良の形態】
【００１０】
図１は、本考案に係る暖房器具の制御回路の基本部分の一例を示す説明図、図２（ａ）は、二種のヒータの組合せと熱反射板の取付け例を示す斜視図、（ｂ）は、（ａ）を上方から眺めた平面図、図３は、全体外観斜視図である。
【実施例】
【００１１】
ハロゲンヒータＨｈとカーボンヒータＨｃとを適宜組込んで配設し、前面を孔面積の大きい保護体１からなる熱放射面とし、天板２、底板３、背面板４等を組合せた筐体５からなる暖房器具であって、各ヒータＨｃ、Ｈｈは筒状体を形成し、該ヒータＨｃ、Ｈｈを形成する筒状体の背面をヒータ本体から放射される熱を集束して反射する曲面を有する熱反射板６にて構成し、２以上複数のヒータ本体と対をなす前記熱反射板６を前記ヒータ本体Ｈｃ、Ｈｈの本数に合せて並列し、前記天板２と接する前記熱放射面の上方部分は昇温した空気を逃がすための孔を有する開孔率の比較的大きな多孔板７にて形成し、前記底板３は支持部材となる脚部８を備え、更に前記底板３と脚部８の接続部には不図示の首振り回動機構を備え、電源スイッチＳＷｍを有する制御回路に、ハロゲンヒータＨｈ回路部１０、カーボンヒータＨｃ回路部２０、ハロゲンヒータＨｈとカーボンヒータＨｃとの組合せ回路部３０を並列し、これらの回路部を選択的に設定可能な連動式切換えスイッチＳＷ１を備え、且つ規定温度を超えた時に機能する温度溶断器Ｆ１、Ｆ２、器具本体の転倒時電源ＯＦＦスイッチＳＷ２（通常閉のｂ接点とし、器具が転倒した時に接点が開いて電源を切る。）を備え、更に首振り動作用のスイッチＳＷ３と連動する同期電動機ＭＳを具備した構成としてある。
【００１２】
他の符号について、Ｐは、通常家庭用に設けられた電源コンセントへ嵌挿し接続するための電源プラグである。
【００１３】
ハロゲンヒータＨｈとカーボンヒータＨｃを組合せ併用することで、近赤外から遠赤外の広い範囲で使用することが出来、使用条件、環境条件等の各種条件に好適に対応することが出来る暖房機を提供できる。
【００１４】
ハロゲンヒータＨｈとカーボンヒータＨｃの使用本数は、図１に示す例に限定されるものではなく、夫々の本数、組合せ方法等は、自由に選択出来る。
【００１５】
熱反射板６の曲面形状は、図２（ｂ）に示す輻射熱が平行に放射（図中符号イ）されるように設定した例を示したが、設計条件として、ユーザーの使用条件、環境条件に合せて決定することができることは勿論である。
【００１６】
また、リモコン制御や、タイマー制御等は通常の技術を用いて選択設定は自由である。
【００１７】
尚、デザイン上の問題としては、実施例では、方形状、角形で示したが、扇風機のような円形を基本とするものや、円形を基本とする横型円筒形や縦型円筒形など、デザイン的に外観形状を限定するものではなく、ハロゲンヒータとカーボンヒータを組合せて構成したことが重要であって、形を限定するものではなく、形は自由に選定することが出来る。
【産業上の利用可能性】
【００１８】
本考案は、ハロゲンヒータ、カーボンヒータのそれぞれの特性を活かし、二種のヒータを適宜組合せることで、使用者が選択的に希望する条件で用途範囲を広く活用できる暖房器具を提供することが出来る。
【図面の簡単な説明】
【００１９】
【図１】本考案に係る暖房器具の制御回路の基本部分の一例を示す説明図
【図２】（ａ）二種のヒータの組合せと熱反射板の取付け例を示す斜視図、（ｂ）（ａ）を上方から眺めた平面図
【図３】全体外観斜視図
【符号の説明】
【００２０】
１  保護体
２  天板
３  底板
４  背面板
５  筐体
６  熱反射板
７  多孔板
８  脚部
１０  ハロゲンヒータＨｈ回路部
２０  カーボンヒータＨｃ回路部
３０  ハロゲンヒータＨｈとカーボンヒータＨｃとの組合せ回路部
Ｈｈ  ハロゲンヒータ
Ｈｃ  カーボンヒータ
ＳＷｍ  電源スイッチ
ＳＷ１  連動式切換えスイッチ
ＳＷ２  転倒時電源ＯＦＦスイッチ
ＳＷ３  首振り動作用のスイッチ
Ｆ１、Ｆ２  温度溶断器
ＭＳ  同期電動機
Ｐ  電源プラグ
【図１】
0003101476.tif 000003
【図２】
0003101476.tif 000004
【図３】
0003101476.tif 000005